(57)【要約】【課題】個人を認証することによってセキュリティ上の安全性を確保しながら認証された特定の個人に向けて固有の情報を提供する。【解決手段】エレベータの呼び登録装置は、個人に関する情報を格納して管理する情報管理手段４と、個人から識別用の情報を収集して情報管理手段４の管理情報と比較して利用者２を認証する個人認証手段７と、少なくともエレベータ１の運行状況を表示可能な表示手段１０と、エレベータかご内１ａに同乗者がいない場合に、個人認証手段７により認証されてエレベータ１のかご１ａに搭乗した認証済み個人に関する情報を情報管理手段７から取得して認証済み個人２にとって必要情報を表示手段１０に表示すると共にかご１ａ内に同乗者がいる場合に認証済み個人に必要な情報を表示手段１０に表示しないように制御する表示制御手段８と、情報管理手段７より出力された認証済み個人２に関する管理情報に基づいてかご１ａの行き先階を指定して該エレベータ１の運行を制御する運行制御手段５とを備える。【選択図】図１
2007276961.tif 000002
【特許請求の範囲】
【請求項１】
個人に関する情報を格納して管理する情報管理手段と、
個人の身体特徴を抽出する識別用情報を入力する識別情報入力手段と、
エレベータを利用する利用者から前記識別用情報を収集して前記情報管理手段の管理情報と比較して前記利用者を認証する個人認証手段と、
少なくとも前記エレベータの運行状況を表示可能な表示手段と、
前記エレベータかご内に同乗者がいない場合に、前記個人認証手段により認証されて前記エレベータのかごに搭乗した認証済み利用者に関する情報を前記情報管理手段から取得して前記認証済み利用者にとって必要な情報を前記表示手段に表示するように制御すると共に、前記エレベータかご内に同乗者がいる場合に前記認証済み利用者に必要な情報を前記表示手段に表示しないように制御する表示制御手段と、
前記情報管理手段より出力された前記認証済み利用者に関する管理情報に基づいて前記かごの行き先階を指定して該エレベータの運行を制御する運行制御手段と、
を備えることを特徴とするエレベータの呼び登録装置。
【請求項２】
前記識別情報入力手段は個人の指紋または掌紋を検知するセンサであり、前記個人認証手段は、前記センサより入力される前記識別用の情報としての前記指紋または掌紋を前記情報管理手段の管理情報と比較して前記利用者を認証することを特徴とする請求項１に記載のエレベータの呼び登録装置。
【請求項３】
前記識別情報入力手段は個人の顔画像を撮像するカメラであり、前記個人認証手段は前記カメラより入力される前記識別用の情報としての前記顔情報を前記情報管理手段の管理情報と比較して前記利用者を認証することを特徴とする請求項１に記載のエレベータの呼び登録装置。
【請求項４】
前記情報管理手段は、個人の身体的特徴を管理情報として管理すると共に、前記個人認証手段により認証された前記利用者の職業、年齢、趣味、嗜好を含む必要情報をも管理情報として管理することを特徴とする請求項１に記載のエレベータの呼び登録装置。
【請求項５】
前記表示制御手段は、前記情報管理手段が管理する前記管理情報と前記個人認証手段が認証した利用者の識別用情報とが一致して個人認証が得られたときに、前記利用者に対して前記必要情報を提供するために前記管理情報を編集する編集機能を備えることを特徴とする請求項３または請求項４の何れかに記載のエレベータの呼び登録装置。
【請求項６】
前記個人認証手段により認証された利用者に対応する行き先階床として複数の階床が前記情報管理手段により管理されている場合に、利用者に対応する前記複数の階床を前記表示手段に表示させながら利用者に所望の階床を選択入力させる入力手段をさらに備えることを特徴とする請求項１に記載のエレベータの呼び登録装置。
【請求項７】
前記表示手段は、可視表示角度を制限された平面表示素子を含むことを特徴とする請求項１に記載のエレベータ呼び登録装置。
【請求項８】
前記表示手段は、前記個人認証手段および前記表示制御手段と共にエレベータ乗り場ホールに設けられ、前記表示制御手段は、前記個人認証手段により認証された利用者が前記表示手段の前からそれ以外の場所に移動した場合に、表示中であっても認証された利用者の個人情報の表示を停止するように制御することを特徴とする請求項１に記載のエレベータの呼び登録装置。
【請求項９】
前記表示装置は、前記エレベータのかご内のエレベータ操作盤に設置され、前記表示制御手段は、利用者が前記表示手段の前からそれ以外の場所に移動した場合に、表示中であっても認証された利用者の前記個人情報の表示を停止するように制御することを特徴とする請求項８に記載のエレベータの呼び登録装置。
【発明の詳細な説明】
【技術分野】
【０００１】
本発明は、エレベータの呼び登録装置に関し、特に、利用者のセキュリティ保護を図りつつ利用者にとって固有で、かつ、必要な情報を提供できるエレベータの呼び登録装置に関する。
【背景技術】
【０００２】
一般的なエレベータの運転制御装置は、乗り場フロアのドアの横に設けられた乗り場ボタンを操作して昇降希望方向を指示してエレベータかごを呼び、搭乗後はエレベータかご内の操作ボタンで目的階床を指示すると呼びが登録されて、利用者が希望する階床へ行くことができる。また、セキュリティ機能の確保が求められる建物においては、エレベータの運行制御についても一般の建物に設置されているエレベータの運行制御よりも厳しいセキュリティ機能の確保が求められており、そのため乗り場で行き先の階床を登録できるようにしたり、エレベータかごが到着するまでの待ち時間に乗り場に設置されたモニタ等に情報を表示して待ち時間を有効に活用するようにしたり、エレベータの制御装置における制御に対して付加機能を提供したり、認証登録システムへの利用者の登録などを用いて呼び登録にセキュリティ機能をもたせたりする幾つかの技術も提案されている。
【０００３】
例えば、特許文献１は、かご内に指紋照合装置を設けてエレベータ使用者の指紋と登録指紋とが一致するとその使用者に付加機能を提供できるように構成したエレベータ制御装置を開示している。そして、エレベータへの操作をいたずらに煩わされることなく、使用者の利便性を向上させるという目的を達成している。
【０００４】
また、特許文献２は、認証を受ける被認証者の身体情報を自動的に読み取り、登録された身体情報と比較して認証を行ない、認証された被認証者が該当する視聴可能な情報を記憶手段から読み出して他者が視聴できないようにしてその被認証者のみに情報を視聴可能とする認証再生システムを開示している。そして、お年寄りや身体の不自由な者であっても前記被認証者該当情報を容易に出力できるという目的を達成している。
【０００５】
以上のように、特許文献１では認証した個人によってエレベータが提供するサービスを追加する手段が提案されており、特許文献２では個人認証システムの補助として認証された個人だけに情報を提供してその情報を用いて認証を行なう方法が提案されている。
【特許文献１】特開２０００−３２７２３８号公報
【特許文献２】特開２００４−５４４９６号公報
【発明の開示】
【発明が解決しようとする課題】
【０００６】
しかしながら、上述した乗り場で行き先階を登録する方法では、乗り場でエレベータかごを待っている時間に行き先階を登録することができるが、行き先階を登録する手段は他の利用者から隠されておらず、また、登録されたかごの行き先階は行き先階表示灯が表示しているので、誰でもその利用者の行き先階を知ることができる。このため、悪意を有する他の利用者がかごに相乗りする危険性があり、セキュリティ上の安全を確保することができないという問題がある。
【０００７】
また、乗り場に行き先階表示灯を設置しないようにして利用者の行き先階を表示しない場合には、乗り場でかごを待っている間に正しい呼び登録を行なうことができたかを確認することができないという問題がある。
【０００８】
また、エレベータのかごが到着するまでの待ち時間の間に、乗り場に設置されたモニタ等に情報を表示することにより待ち時間を有効に活用するようにした方法が提案されているが、これは一般向けの方法であって個人に宛てた情報ではないため、繰り返し同じ内容の情報を提供していると利用者に飽きられてしまい、無駄な情報表示になってしまうという問題もあった。
【０００９】
さらに、認証した結果により、提供するサービスを変更する手段も提案されているが、この提供サービスの変更は予め決定されたサービスを呼び出すだけであるため、特定の個人に対してその個人に固有の情報を提供することができず、個人に対応したサービスを提供するには不十分であるという問題があった。
【００１０】
本発明は上記課題に鑑みてなされたものであり、個人を認証することによってセキュリティ上の安全性を確保しながら認証された特定の個人に向けて固有の情報を提供することのできるエレベータの呼び登録装置を提供することを目的とする。
【課題を解決するための手段】
【００１１】
上記課題を解決するため、本発明の第１構成によるエレベータの呼び登録装置は、個人に関する情報を格納して管理する情報管理手段と、個人の身体特徴を抽出する識別用情報を入力する識別情報入力手段と、エレベータを利用する利用者から前記識別用情報を収集して前記情報管理手段の管理情報と比較して前記利用者を認証する個人認証手段と、少なくとも前記エレベータの運行状況を表示可能な表示手段と、前記エレベータかご内に同乗者がいない場合に、前記個人認証手段により認証されて前記エレベータのかごに搭乗した認証済み利用者に関する情報を前記情報管理手段から取得して前記認証済み利用者にとって必要な情報を前記表示手段に表示するように制御すると共に、前記エレベータかご内に同乗者がいる場合に前記認証済み利用者に必要な情報を前記表示手段に表示しないように制御する表示制御手段と、前記情報管理手段より出力された前記認証済み利用者に関する管理情報に基づいて前記かごの行き先階を指定して該エレベータの運行を制御する運行制御手段と、を備えることを特徴とする。
【００１２】
本発明の第２構成によるエレベータの呼び登録装置は、上記第１構成によるエレベータの呼び登録装置において、前記識別情報入力手段は、個人の指紋または掌紋を検知するセンサであり、前記個人認証手段は、前記センサより入力される前記識別用の情報としての前記指紋または掌紋を前記情報管理手段の管理情報と比較して前記利用者を認証することを特徴とする。
【００１３】
本発明の第３構成によるエレベータの呼び登録装置は、上記第１構成によるエレベータの呼び登録装置において、前記識別情報入力手段は、個人の顔画像を撮像するカメラであり、前記個人認証手段は、前記カメラより入力される前記識別用の情報としての前記顔情報を前記情報管理手段の管理情報と比較して前記利用者を認証することを特徴とする。
【００１４】
本発明の第４構成によるエレベータの呼び登録装置は、上記第１構成によるエレベータの呼び登録装置において、前記情報管理手段は、個人の身体的特徴を管理情報として管理すると共に、前記個人認証手段により認証された前記利用者の職業、年齢、趣味、嗜好を含む必要情報をも管理情報として管理することを特徴とする。
【００１５】
本発明の第２構成によるエレベータの呼び登録装置は、上記第４構成によるエレベータの呼び登録装置において、前記表示制御手段は、前記情報管理手段が管理する前記管理情報と前記個人認証手段が認証した利用者の識別用情報とが一致して個人認証が得られたときに、前記利用者に対して前記必要情報を提供するために前記管理情報を編集する編集機能を備えることを特徴とする。
【００１６】
本発明の第６構成によるエレベータの呼び登録装置は、上記第１構成によるエレベータの呼び登録装置において、前記個人認証手段により認証された利用者に対応する行き先階床として複数の階床が前記情報管理手段により管理されている場合に、利用者に対応する前記複数の階床を前記表示手段に表示させながら利用者に所望の階床を選択入力させる入力手段をさらに備えることを特徴とする。
【００１７】
本発明の第７構成によるエレベータの呼び登録装置は、上記第１構成によるエレベータの呼び登録装置において、前記表示手段は、可視表示角度を制限された平面表示素子を含むことを特徴とする。
【００１８】
本発明の第８構成によるエレベータ呼び登録装置は、上記第１構成によるエレベータの呼び登録装置において、前記表示手段は、前記個人認証手段および前記表示制御手段と共にエレベータ乗り場ホールに設けられ、前記表示制御手段は、前記個人認証手段により認証された利用者が前記表示手段の前からそれ以外の場所に移動した場合に、表示中であっても認証された利用者の個人情報の表示を停止するように制御することを特徴とする。
【００１９】
本発明の第９構成によるエレベータの呼び登録装置は、上記第８構成によるエレベータの呼び登録装置において、前記表示装置は、前記エレベータのかご内のエレベータ操作盤に設置され、前記表示制御手段は、利用者が前記表示手段の前からそれ以外の場所に移動した場合に、表示中であっても認証された利用者の前記個人情報の表示を停止するように制御することを特徴とする。
【発明の効果】
【００２０】
本発明によれば、セキュリティの高いシステムを維持しつつ、エレベータ乗り場での待ち時間を有効に活用できると共に認証された特定の個人に向けて必要な情報を提供することができる。
【発明を実施するための最良の形態】
【００２１】
以下、添付図面を参照しながら本発明に係る  の実施形態について詳細に説明する。
【００２２】
［第１実施形態］
図１は、本発明の第１実施形態に係るエレベータの呼び登録装置の構成を示している。図１において、エレベータ１はマンションなどの共同住宅内に設けられたものであり、かご１ａ、昇降駆動部１ｂ、カウンタウェイト１ｃを備え、エレベータ制御装置３により昇降運行を制御されている。また、認証装置６は、乗り場ホール９とエレベータ制御装置３と間に設けられており、エレベータ制御装置３は、エレベータ１の利用者２に関する情報を格納して管理する情報管理手段４と、運行制御手段５とを備え、認証装置６は、エレベータ１に実際に搭乗する個人（この例ではマンションの住人）から識別用の情報を収集して情報管理手段４の管理情報と比較して搭乗する利用者を認証する個人認証手段７と、表示制御手段８とを備える。
【００２３】
乗り場ホール９には、少なくともエレベータ１の運行状況を表示すると共に例えば映像情報２Ａのようなその他の必要な情報も表示可能な表示手段１０と、個人認証手段７で用いる個人に関する例えば指紋、掌紋等の身体的特徴などの識別用の個人情報を収集するセンサ１１とを備える。また、認証装置６に設けられた表示制御手段８は、エレベータかご内１ａに同乗者がいない場合に、個人認証手段７により認証されてエレベータ１のかご１ａに搭乗した認証済み個人に関する情報を情報管理手段７から取得して認証済み個人にとって必要情報を表示手段１０に表示すると共にかご１ａ内に同乗者がいる場合に認証済み個人に必要な情報を表示手段１０に表示しないように制御している。また、運行制御手段５は、情報管理手段７より出力された認証済み個人に関する管理情報に基づいてかご１ａの行き先階を指定して該エレベータ１の運行を制御している。
【００２４】
以上の構成により、乗り場ホール９にやって来た利用者２は、センサ１１を介して個人情報としての例えば指紋を読み込ませて入力すると、個人認証手段７はエレベータ制御装置３内の情報管理手段４により管理された個人情報と比較対照の後に、読み込み情報と管理情報とが一致した場合に個人が同定されたことを認証する。この認証された利用者が操作パネル（図示せず）の特定の階床のボタンを操作しなかったときには、この利用者２が通常利用している階床へとエレベータ１の運行を自動的に開始するようにしても良い。
【００２５】
なお、情報管理手段４にその個人の好みの情報や興味をもっている趣味等に関連する情報を予め格納しておいて、他の利用者がかご１ａ内にいない場合には、その利用者２が必要とする情報を選択して表示するように表示制御手段８が情報の表示を制御するようにしている。このようにして、センサ１１等により個人の身体的な特徴を情報として入力して管理情報と比較対照して個人を認証して、その個人に対して必要な情報の提供を可能にしているので、セキュリティ上の安全性を確保しながら認証された特定の個人に向けて固有の情報を提供することができる。
【００２６】
すなわち第１実施形態においては、識別情報入力手段１１は、個人の指紋または掌紋を検知するセンサ１２であり、個人認証手段７は、センサ１２より入力される識別用の情報としての指紋または掌紋の身体的特徴を情報管理手段８の第１の管理情報と比較して利用者としての個人を認証している。
【００２７】
［第２実施形態］
次に、本発明の第２実施形態に係るエレベータの呼び登録装置について図２を参照しながら説明する。なお、図１に示した第１実施形態と同一構成要素には同一符号を付し、重複する説明を省略する。図２に示す第２実施形態においては、乗り場ホール９に設けられた個人情報入力用の識別情報入力手段である入力装置１１として、図１のセンサ１２の代わりに図２に示すカメラ１３を備えている点が第１実施形態との相違点である。したがって、第２実施形態では指紋や掌紋等の身体的特徴を認証用の個人情報として用いるのではなく、個人の顔情報２Ｂをカメラ１３により撮像して、この顔情報２Ｂを認証用の個人情報として用いるようにしている。
【００２８】
すなわちこの第２実施形態においては、識別情報入力手段１１は、個人の顔画像２Ｂを撮像するカメラ１３であり、個人認証手段７は、カメラ１３より入力される識別用の情報としての顔情報２Ｂを情報管理手段４の第１の管理情報と比較して利用者である個人を認証している。
【００２９】
カメラ１３で撮影した映像は、表示モニタ１０にも表示する。図１と異なるのは、その場合の入力手段１１としてカメラ１３を利用している点である。カメラ１３で撮影した映像である顔情報２Ｂは表示モニタ１０にも表示される。表示モニタ１０に表示されている映像としての顔情報２Ｂは、表示モニタ１０の前に立っているエレベータ１の利用者２だけがその表示内容の確認をすることができ、周囲に他の人がいたとしても容易に表示内容を確認することができないような構造になっている。
【００３０】
なお、表示手段１０は、可視表示角度を制限された平面表示素子、例えば、液晶表示素子（ＬＣＤ―Liquid Crystal Display―）、平面電界放出素子（ＦＥＤ―Flat Electron-emitter Display―）、表面伝導型電子放出素子（ＳＥＤ―Surface-conduction Electron-emitter Display―）を含んでいる。また、その他のあらゆる駆動方式の平面表示素子であっても本発明に適用できる。
【００３１】
これらの平面表示素子を用いることにより、表示手段１０は、個人認証手段７および表示制御手段８と共にエレベータ乗り場ホール９に設けることができる。また、表示制御手段８は、個人認証手段７により認証された利用者２が表示手段１０の前からそれ以外の場所に移動した場合に、表示中であっても認証された利用者２の個人情報の表示を停止するように制御する。
【００３２】
さらに、表示装置１０は、エレベータ１のかご内１ａのエレベータ操作盤に設置され、表示制御手段８は、利用者２が表示手段１０の前からそれ以外の場所に移動した場合に、表示中であっても認証された利用者個人２の個人情報の表示を停止するように制御することもできる。
【００３３】
次に、個人が図２の構成を利用者２として利用する様子を図３に示し、第２実施形態によるエレベータ呼び登録装置の実際の動作について説明する。個人が認証装置６の前で立ち止まりカメラ１３により顔画像２Ｂを撮影すると、認証装置６が図１の情報管理手段４から認証用の第１の管理情報と顔画像２Ｂとを比較して個人認証を行なうと共に、表示モニタ１０は顔画像２Ｂを表示する。個人は乗り場ボタン１４のうち所望のボタンを押下してエレベータ１のかご１ａへ呼びを登録する。個人認証がとれている場合には、表示モニタ１０には特定の利用者２のために情報管理手段３が管理している第２の管理情報の中からその個人に対する連絡事項や趣味・嗜好に関する必要情報が表示される。かご１ａが乗り場ホール９に到着すると、乗り場ドア１ｄが開放されると共に特定の利用者２の行き先階が指定されており、行き先階を修正する必要のない場合には搭乗した利用者２は何の操作をすることもなく、行き先階まで到着することができる。また、エレベータ１のかご１ａ内にも表示モニタを設置しておくことにより、第２実施形態の呼び登録装置を搭載したエレベータにおいては、利用者２への必要情報を搭乗中でも提供することができる。
【００３４】
個人認証開始前の表示モニタ１０の表示内容および表示項目が図４および図５に示されている。図４において、乗り場ホール９用の表示モニタ１０には、「エレベータを利用するためには画面の中央に顔がくる様にお立ち下さい」等のメッセージ１０Ａがガイダンスとして表示される。そして、自己の顔画像２Ｂにより認証が得られるように、画面中央に自己の顔画像２Ｂが一致するようにカメラ１３に対する顔の位置を調整する。顔画像２Ｂの第１管理情報との識別が終了すると、図５に示すように、その特定の個人の氏名や行き先階を第２管理情報の中から抽出して表示モニタ１０に表示する。このとき、かご１ａが乗り場ホール９に到着するまでの間でも第２管理情報の中から必要情報を選択して表示モニタ１０に表示するようにしてもよい。また、このとき他の個人の映像がカメラ１３により撮影された場合には、最初に識別した個人への情報の提供を中止して必要情報の提供も差し控えると共に、他の個人の認証動作を行なうことになる。図５に示すように、認証が得られた後のメッセージとしては「お帰りなさい○○××さん。このエレベータは△階へ行きます」等が表示される。
【００３５】
次に、図６に示すフローチャートを参照しながら第２実施形態に示す顔認証における処理動作について説明する。まず、ステップＳ１０１において、個人が自己の顔を撮影するためにカメラ１３の前に立つと、認証装置６の表示モニタ１０には情報表示制御手段８からカメラ１３の前の正しい位置に個人を誘導するガイダンスとしてのメッセージ１０Ａとカメラの前で撮影された顔画像２Ｂとが、図４に示されるように合成されて表示される。
【００３６】
次に、ステップＳ１０２でカメラ１３が顔画像２Ｂを撮影して個人認証手段７に画像を転送し、個人認証手段７はその顔画像２Ｂを用いて個人認証を行なう。次に、ステップＳ１０３において、個人認証が成功したか否かが判定され、個人認証手段７が個人認証に失敗した場合にはステップＳ１０４で待機状態となり、ステップＳ１０１からＳ１０４の動作を繰り返し、ステップＳ１０３で個人認証が成功したものと判定された場合には、ステップＳ１０５において、その結果と利用者の情報を情報表示制御手段８に送信し、情報表示制御手段８はその利用者の情報から名前や行き先階などの情報を取得し、画面に表示するための情報が合成される。表示する情報が作成されたら、ステップＳ１０６において、情報表示制御手段８はカメラ１３での撮影を続けさせながらその顔情報２Ｂと作成した情報とを合成して表示用モニタ１０に表示する。利用者としての名前情報が「○○××」で、行き先階が「△階」の場合、図５に示すようなメッセージ１０Ｂと顔情報２Ｂとの合成画面が表示モニタ１０より出力される。
【００３７】
次に、ステップＳ１０７において、情報表示制御手段８はエレベータ制御装置３に対して乗り場ホール９での認証が成功したことの結果を通知する。次に、ステップＳ１０８において、エレベータ制御装置３はその結果を受けて、利用者２のいる階への呼びを生成してエレベータ１のかご１ａを利用者のいる階へ移動させる。ステップＳ１０９において、エレベータのかご１ａが利用者のいる階へ到着すると、利用者２はかご１ａ内に乗り込むと、エレベータ制御装置３は、利用者としての個人２の情報から行き先階を取得して、その行き先階へのかご呼びを生成して呼びを登録し手処理が終了する。したがって、利用者２は、呼び登録に関して何もすることなしに目的の階床へと移動できる。
【００３８】
［第３実施形態］
なお、上記第１および第２実施形態においては、情報管理手段４をエレベータ制御装置３内に設けるものとして説明したが、本発明はこれに限定されず、図７に示す第３実施形態のエレベータ呼び登録装置のように、情報管理手段および情報蓄積装置を別個の構成としても良い。個人認証手段７により認証がなされた後に、表示モニタ１０に表示する情報を編集する場合の構成を第３実施形態として図７に示す。なお、図１に示した第１実施形態と同一構成要素には同一符号を付し、重複する説明を省略する。
【００３９】
図７において、認証装置６の情報表示制御手段８には、情報管理手段としてのパソコン１５が接続され、情報表示制御手段８とパソコン１５との間には、情報蓄積装置１６が設けられている。この第３実施形態において、第１管理情報も情報蓄積装置１６内に蓄積できるように構成した場合には、パソコン１５の編集機能を駆使して、例えば指紋や掌紋等の身体情報や特定の個人の顔情報等をパソコンに接続したスキャナやデジタルカメラ（共に図示せず）から入力して情報蓄積装置１６に第１管理情報４Ａとして蓄積しておいても良い。また、この第３実施形態の場合、情報管理手段としてのパソコン１５を主に第１実施形態における第２管理情報４Ｂの管理や編集等を行なうために設けるようにして、個人認証用の身体情報等の第１管理情報は認証装置６の個人認証手段７そのものの中に第１管理情報管理手段４Ａとして蓄積するようにしても良い。この場合でも、認証用の個人身体情報等の入力は、パソコン１５に接続されたスキャナやデジタルカメラ（共に図示せず）により行なうものとする。
【００４０】
また、第３実施形態においては、個人認証手段７を含むシステムに対して、情報入力編集手段としてのパソコン１５と、情報蓄積手段１６とを追加しているので、予めシステムの管理人がパソコン１５を利用して、図８に示すような入力画面１７により利用者毎に利用者に関連付けする形により第２管理情報２Ｂを登録するようにしても良い。登録された情報は情報蓄積装置１６により保存される。図８の入力画面１７では、宛先１７ａとして「○○××」と入力し、行き先階１７ｂとして「△階」と入力する。また、メッセージ１７ｃとしては、この個人２が自治会の役員の場合、例えば「明日は自治会役員の会合の日です。８：００に集合して下さい。」といったものが考えられる。
【００４１】
図８のようなメッセージを合成する際の動作を図９のフローチャートを参照しながら説明する。図９のフローチャートにおいて認証するまでの処理の流れＳ１０１〜Ｓ１０４と認証成功後の処理の流れＳ１０５〜Ｓ１０９は、図６の処理動作と同じであるので、同一符号を付すことにより重複説明を省略する。図９で処理が異なっている点は、図６のステップＳ１０５の前に処理ステップＳ２０５〜Ｓ２０７の３つのステップが行なわれることである。図９のステップＳ１０３において、認証が成功したものと判定された場合にステップＳ２０５において、利用者の情報は登録されているか否かが判定される。利用者の情報が登録されていないものと判定された場合、ステップＳ２０６で標準情報を用意して図６と同様に、ステップＳ１０５で表示用のメッセージを作成して、ステップＳ１０７ないしＳ１０９の処理を行なう。
【００４２】
ステップＳ２０５で利用者の情報が登録されているものと判定された場合には、ステップＳ２０７において、表示画像制御装置８として画像合成装置でカメラ画像に情報を合成した後、ステップＳ１０７ないしＳ１０９の処理動作を行なうようになっている。このときの表示モニタ１０に表示される映像を図１０に示している。図１０の表示モニタ１０に顔画像２Ｂと共にメッセージ１０Ｃが表示され、このメッセージ１０Ｃは、図８でメッセージ内容１７ｃとして入力されたものと同じメッセージが表示されている。
【００４３】
情報入力手段としてのパソコン１５から入力する情報は、図８に示す入力画面の情報のみではなく、利用者を複数のグループに分類してそのグループ毎に情報を設定して入力することもできる。このグループは、例えば目的階に応じて分類したり、利用者の所属部課に応じて分類したりする。例えば図１１に示す入力画面１８のように、宛先１８ａとして「５Ｆの居住者」とし、メンバー１８ｂとして「○○さん」「○×さん」「××さん」「○○××さん」とし、メッセージ内容１８ｃとして「本日、５Ｆの非常階段出入り口は修理のため、通行禁止とします。ご注意下さい。」のように入力する。
【００４４】
図１１の入力画面１８から入力された特定のグループへのメッセージ内容１８ｃは、５階の居住者であって非常口を利用する可能性のある４名の居住者を個人認証したときに、その特定のグループに含まれる人に対して個別に通知されることになる。このように、本第３実施形態によれば、特定の個人を識別してその個人用のメッセージを通知するだけでなく図１１に示す入力画面を用いてメッセージを入力しておくことにより、特定のグループに所属する複数の個人に対しても、必要情報を通知することができる。
【００４５】
［第４実施形態］
第１ないし第３実施形態においては、特定の利用者一人につき１つの行き先階を指定する場合について説明したが、本発明はこれに限定されず、第４実施形態のように複数の行き先階を利用する場合にも適用することができる。図１２ないし図１４を用いて、第４実施形態によるエレベータの呼び登録装置について説明する。
【００４６】
第４実施形態のエレベータ呼び登録装置は、図１２に示すように、認証装置６の情報表示制御手段８に接続された例えばテンキー（１０キー）入力を可能にする入力手段２０を設けたものである。この入力手段２０は、利用者２が表示モニタ１０の画面の表示を見ながら任意の行き先階を選択することを可能にするものである。
【００４７】
例えば、オフィスビルなどにおいて、通常は３階の事務所に行くが、４階および５階の会議室に行くこともあり、また、地下１階の駐車場に行くこともあるような場合もある。このような場合に、行き先階を選択することが可能なように、図１３に示すように、表示モニタ１０に「こんにちは、○○××さん、行き先階または表示したい内容に触れてください」というメッセージ１０Ｄを表示すると共に、選択用項目１０Ｅを表示する。
【００４８】
図１４は、このときの処理動作のフローチャートを示している。図１４において、ステップＳ１０４ないしＳ１０９は図６の処理動作と同じである。第４実施形態に特有の処理動作はステップＳ３１０ないしＳ３１２に示されたブロックであり、ステップＳ１０３において認証が成功したか否かが判定された後、ステップＳ３１０において行き先階を有する可能性が複数ある個人か否かを判定する。行き先階が複数ある可能性がない場合には、処理はステップＳ１０５ないしＳ１０９のように進んで図６と同じ動作を行なう。ステップＳ３１０において、複数の行き先階を有する個人であるものと判定された場合には、ステップＳ３１１で、その個人の行き先階の可能性のある階から、図１３に示したような入力用のガイダンスのメッセージ１０Ｄを選択用項目１０Ｅと共に作成する。ステップＳ３１２において、個人が選択用項目１０Ｅのうちから所望のものを選択し、その後処理の流れはステップＳ１０７へ移ってその後のステップＳ１０８，Ｓ１０９へと進んで処理が終了する。
【００４９】
したがって、この第４実施形態は、個人認証手段７により認証された利用者２に対応する行き先階床として複数の階床が情報管理手段４により管理されている場合に、利用者に対応する複数の階床を表示モニタ１０に表示させながら利用者２に所望の階床を選択入力させる入力手段１０Ｅをさらに備えるものである。なお、入力手段は、図１２に示すようなテンキーによる入力装置でも良い。
【図面の簡単な説明】
【００５０】
【図１】第１実施形態によるエレベータの呼び登録装置の構成を示すブロック図。
【図２】第２実施形態によるエレベータの呼び登録装置の構成を示すブロック図。
【図３】第２実施形態の利用形態を示す説明図。
【図４】第２実施形態の表示画面の一例を示す説明図。
【図５】同じく第２実施形態の表示画面の他の一例を示す説明図。
【図６】第２実施形態の処理動作を説明するフローチャート。
【図７】第３実施形態によるエレベータの呼び登録装置の構成を示すブロック図。
【図８】第３実施形態における入力用画面を示す説明図。
【図９】第３実施形態の処理動作を説明するフローチャート。
【図１０】第３実施形態の表示画面の一例を示す説明図。
【図１１】第３実施形態における入力用画面の他の例を示す説明図。
【図１２】第４実施形態によるエレベータの呼び登録装置の構成を示すブロック図。
【図１３】第４実施形態の表示画面の一例を示す説明図。
【図１４】第４実施形態の処理動作を説明するフローチャート。
【符号の説明】
【００５１】
１  エレベータ
１ａ  かご
２  利用者
２Ｂ  顔情報
３  エレベータ制御装置
４  情報管理手段
５  運行制御手段
６  認証装置
７  個人認証手段
８  表示制御手段
１０  表示手段
１１  識別情報入力手段
１２  センサ
１３  カメラ
【図１】
2007276961.tif 000003
【図２】
2007276961.tif 000004
【図３】
2007276961.tif 000005
【図４】
2007276961.tif 000006
【図５】
2007276961.tif 000007
【図６】
2007276961.tif 000008
【図７】
2007276961.tif 000009
【図８】
2007276961.tif 000010
【図９】
2007276961.tif 000011
【図１０】
2007276961.tif 000012
【図１１】
2007276961.tif 000013
【図１２】
2007276961.tif 000014
【図１３】
2007276961.tif 000015
【図１４】
2007276961.tif 000016